(57)【要約】【課題】エネルギを付与されることで硬化する液体内の気泡を除去可能な三次元造形装置、三次元造形方法、リコータ装置および液面をならす方法を提供する。【解決手段】三次元造形装置１０は、エネルギを付与されることで硬化する液体ｒｃを収容する槽２１と、移動方向Ｄ１に配置され、各々が液体ｒｃとの間に周囲よりも低い圧力に維持された空間Ａを形成しながら移動する複数のリコータ部３１ａ,３１ｂと、を備える。【選択図】図２
2020203397.tif 000002
【特許請求の範囲】
【請求項１】
エネルギを付与されることで硬化する液体を収容する槽と、
移動方向に配置され、各々が前記液体との間に周囲よりも低い圧力に維持された空間を形成しながら移動する複数のリコータ部と、を備える、三次元造形装置。
【請求項２】
前記複数のリコータ部は、隣接している、請求項１に記載の三次元造形装置。
【請求項３】
前記複数のリコータ部は、前記移動方向に互いから離間している、請求項１に記載の三次元造形装置。
【請求項４】
前記複数のリコータ部は、同期して移動する、請求項２又は３に記載の三次元造形装置。
【請求項５】
前記複数のリコータ部は、順に移動を開始する、請求項２又は３に記載の三次元造形装置。
【請求項６】
前記複数のリコータ部の前記空間内の圧力は、互いに同一である、請求項１〜５のいずれか一項に記載の三次元造形装置。
【請求項７】
前記複数のリコータ部の前記空間内の圧力は、互いに異なる、請求項１〜５のいずれか一項に記載の三次元造形装置。
【請求項８】
前記移動方向前方に位置するリコータ部の前記空間内の圧力は、前記移動方向後方に位置するリコータ部の前記空間内の圧力より高い、請求項７に記載の三次元造形装置。
【請求項９】
前記空間の圧力を調節する吸引機構を更に備える、請求項１〜８のいずれか一項に記載の三次元造形装置。
【請求項１０】
前記複数のリコータ部を前記移動方向と非平行な方向（直交する方向）に移動させる移動機構を更に備え、
前記複数のリコータ部の各々は、前記空間を周囲に通じさせる閉鎖可能な通気穴を有している、請求項１〜８のいずれか一項に記載の三次元造形装置。
【請求項１１】
移動方向に配置され、各々が槽内に収容されたエネルギを付与されることで硬化する液体との間に周囲よりも低い圧力に維持された空間を形成しながら移動する複数のリコータ部と、
前記複数のリコータ部の前記空間の圧力を調節する吸引機構と、を備える、リコータ装置。
【請求項１２】
移動方向に配置され、各々が槽内に収容されたエネルギを付与されることで硬化する液体との間に周囲よりも低い圧力に維持された空間を形成しながら移動する複数のリコータ部と、
前記複数のリコータ部を当該複数のリコータ部の移動方向と非平行な方向に移動させる移動機構と、を備える、リコータ装置。
【請求項１３】
移動方向に配置され、各々が槽内に収容されたエネルギを付与されることで硬化する液体との間に周囲よりも低い圧力に維持された空間を形成した複数のリコータ部を、前記液体の液面に沿って、同一の経路を移動させる工程を備える、槽内の液体の液面をならす方法。
【請求項１４】
請求項１３に記載された方法を備える、三次元造形方法。
【発明の詳細な説明】
【技術分野】
【０００１】
本発明は、エネルギを付与されることで硬化する液体を用いて三次元造形物を製造する三次元造形装置及び三次元造形方法、並びに、上記液体の液面をならすリコータ装置および液面をならす方法に関する。
【背景技術】
【０００２】
昨今、例えば特許文献１に開示されているように、光造形装置が注目を浴びている。光造形装置は、３Ｄプリンタと呼ばれる装置の一つであり、三次元形状を有する造形物を、対応する三次元データから作製することができる。特許文献１では、処理槽内に貯留された液状の光硬化性樹脂組成物の表層に所望のパターンでレーザ光等を照射してエネルギを付与する。これにより、光硬化性樹脂組成物の表層が、照射パターンに対応したパターンで硬化し、光硬化性樹脂組成物の硬化物からなる樹脂層が得られる。樹脂層を順次積層して作製していくことで、三次元形状を有する造形物が得られる。特許文献１では、直前に作製された樹脂層を光硬化性樹脂組成物内に一層分だけ沈めた後、次の樹脂層が、上記直前に作製された樹脂層に重ねて作製される。
【０００３】
ここで、樹脂層一層の厚みは極めて薄い。このため、新たな樹脂層を作製するために直前に作製された樹脂層を一層分だけ光硬化性樹脂組成物内に沈めても、光硬化性樹脂組成物の表面張力によって、上記直前に作製された樹脂層の表面は光硬化性樹脂組成物で被覆されない。このため、リコータで光硬化性樹脂組成物の表面をならして、光硬化性樹脂組成物を上記直前に作製された樹脂層上に塗り広げる必要がある。
【先行技術文献】
【特許文献】
【０００４】
【特許文献１】ＵＳ８，２９８，４７２Ｂ２
【発明の概要】
【発明が解決しようとする課題】
【０００５】
ところで、リコータで光硬化性樹脂組成物の表面をならす際、液体の光硬化性樹脂組成物内に空気が巻き込まれることが知られている。巻き込まれた空気は、光硬化性樹脂組成物内で気泡を形成し三次元造形物内に残る。ここで、近年、三次元造形物に対する要求が高まり、その一つとして透明度が向上した三次元造形物を作製することがある。三次元造形物の内部に気泡が残っていると、意匠面で大きな影響を与えるので、気泡の少ない三次元構造物を作製することが望まれている。
【０００６】
本件発明は、このような点を考慮してなされたものであって、エネルギを付与されることで硬化する液体内の気泡を除去可能な三次元造形装置、三次元造形方法、リコータ装置および液面をならす方法を提供することを目的とする。
【課題を解決するための手段】
【０００７】
本発明による三次元造形装置は、
エネルギを付与されることで硬化する液体を収容する槽と、
移動方向に配置され、各々が前記液体との間に周囲よりも低い圧力に維持された空間を形成しながら移動する複数のリコータ部と、を備える。
【０００８】
あるいは、本発明による三次元造形装置は、
エネルギを付与されることで硬化する液体を収容する槽と、
前記液体との間に周囲よりも低い圧力に維持された空間を形成しながら移動するリコータ部と、
前記リコータ部の移動方向に前記リコータ部からずらして配置され、前記液体との間に周囲よりも低い圧力に維持された空間を形成しながら移動する別のリコータ部と、を備える。
【０００９】
本発明による三次元造形装置において、
前記複数のリコータ部は、隣接していてもよい。
【００１０】
この場合、前記複数のリコータ部は、一体的に成形されていてもよい。
【００１１】
本発明による三次元造形装置において、
前記複数のリコータ部は、前記移動方向に互いから離間していてもよい。
【００１２】
本発明による三次元造形装置において、
前記複数のリコータ部は、同期して移動してもよい。
【００１３】
本発明による三次元造形装置において、
前記複数のリコータ部は、順に移動を開始してもよい。
【００１４】
本発明による三次元造形装置において、
前記複数のリコータ部の前記複数の空間内の圧力は、互いに同一であってもよい。
【００１５】
本発明による三次元造形装置において、
前記複数のリコータ部の前記空間内の圧力は、互いに異なってもよい。
【００１６】
本発明による三次元造形装置において、
前記移動方向前方に位置するリコータ部の前記空間内の圧力は、前記移動方向前方に位置するリコータ部の前記空間内の圧力より高くてもよい。
【００１７】
本発明による三次元造形装置は、前記空間の圧力を調節する吸引機構を更に備えていてもよい。
【００１８】
この場合、前記吸引機構は、前記複数のリコータ部の前記空間に通じる複数の筒状部材と、前記複数の筒状部材と接続し前記筒状部材を介して前記複数のリコータ部の前記空間を吸引可能なポンプと、を有していてもよい。さらに、前記複数の筒状部材の各々に、圧力調整弁（リリーフ弁）が設けられていてもよい。
【００１９】
あるいは、前記吸引機構は、前記複数のリコータ部の前記空間に通じる複数の筒状部材と、前記複数の筒状部材の各々に接続した複数のポンプと、を有していてもよい。
【００２０】
本発明による三次元造形装置は、
前記複数のリコータ部を前記移動方向と非平行な方向（直交する方向）に移動させる移動機構を更に備え、
前記複数のリコータ部の各々は、前記空間を周囲に通じさせる閉鎖可能な通気穴を有していてもよい。
【００２１】
本発明によるリコータ装置は、
移動方向に配置され、各々が槽内に収容されたエネルギを付与されることで硬化する液体との間に周囲よりも低い圧力に維持された空間を形成しながら移動する複数のリコータ部と、
前記複数のリコータ部の前記空間の圧力を調節する吸引機構と、を備える。
【００２２】
本発明によるリコータ装置は、
移動方向に配置され、各々が槽内に収容されたエネルギを付与されることで硬化する液体との間に周囲よりも低い圧力に維持された空間を形成しながら移動する複数のリコータ部と、
前記複数のリコータ部を当該複数のリコータ部と非平行な方向（直交する方向）に移動させる移動機構と、を備える。
【００２３】
本発明による槽内の液体の液面をならす方法は、
移動方向に配置され、各々が槽内に収容されたエネルギを付与されることで硬化する液体との間に周囲よりも低い圧力に維持された空間を形成した複数のリコータ部を、前記液体の液面に沿って、同一の経路を移動させる工程を備える。
【００２４】
本発明による三次元造形方法は、上記液面をならす方法を備える。
【発明の効果】
【００２５】
本発明によれば、エネルギを付与されることで硬化する液体内の気泡を除去可能な三次元造形装置、三次元造形方法、リコータ装置および液面をならす方法を提供することができる。
【図面の簡単な説明】
【００２６】
【図１】図１は、本発明の一実施の形態を説明するための図であって、三次元造形装置の一例を示す模式図である。
【図２】図２は、図１に示すリコータ装置の構成を概略的に示す断面図である。
【図３】図３は、図２に示すリコータ部の斜視図である。
【図４】図４は、三次元造形方法を説明するためのフローチャートである。
【図５】図５は、リコータ装置の変形例を示す断面図である。
【図６】図６は、リコータ装置の他の変形例を示す断面図である。
【図７】図７は、リコータ装置のさらに他の変形例を示す断面図である。
【図８】図８は、リコータ装置のさらに他の変形例を示す断面図である。
【図９】図９は、リコータ装置のさらに他の変形例を示す断面図であって、リコータ部が液体内に沈められた状態を示す図である。
【図１０】図１０は、図９に対応する図であって、図９に示すリコータ部の下端部が液面まで引き上げられた状態を示す図である。
【図１１】図１１は、図２に対応する図であって、さらに他の変形例によるリコータ装置の構成を概略的に示す断面図である。
【発明を実施するための形態】
【００２７】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２８】
まず、図１〜図３を参照して、三次元造形装置について説明する。なお、図１は、三次元造形装置の一例を示す図である。図２は、図１に示すリコータ装置を示す断面図である。図３は、図２に示すリコータ部の斜視図である。
【００２９】
図１に示すように、三次元造形装置１０は、制御器１５及び三次元造形機２０を有している。制御器１５は、三次元造形機２０の各構成要素の動作を制御する。制御器１５は、操作者等が三次元造形装置１０を管理するためにコマンドの入力操作等を行うキーボード１７や、三次元造形装置１０の稼働状況を可視化して表示するディスプレイ１８等の入出力装置と接続されている。また、制御器１５は、三次元造形装置１０で実行される処理を実現するためのプログラム等が記録された記録媒体１６にアクセス可能となっている。記録媒体１６は、ＲＯＭおよびＲＡＭ等のメモリ、ハードディスク、ＣＤ−ＲＯＭ、ＤＶＤ−ＲＯＭおよびフレキシブルディスク等のディスク状記録媒体等、既知のプログラム記録媒体から構成され得る。
【００３０】
三次元造形機２０は、制御器１５からの制御信号に基づき、材料を所定の固化パターンで固化させてなる単位層ｕｌを積層していくことで三次元造形物を製造する。三次元造形装置１０の三次元造形機２０は、液槽光重合方式の積層造形、いわゆる光造形を実施する装置として構成されている。すなわち、三次元造形機２０は、液体の光硬化性樹脂組成物ｒｃの表層に所定のパターンでレーザ光を照射してエネルギを付与することで硬化した樹脂からなる単位層ｕｌを順次積層していき、三次元造形物を製造する。なお、レーザ光を用いる代わりに、いわゆる面露光と呼ばれる方式（紫外線領域の光を発生するランプを用いて面状の光を照射するもの）を用いてもよい。
【００３１】
図１に示すように、三次元造形機２０は、図示しない筐体と、筐体内に配置された槽２１及び固化手段２２と、槽２１内を上下に移動可能な昇降テーブル２５と、槽２１内の液面をならすリコータ装置３０と、を有している。
【００３２】
槽２１は、液体の光硬化性樹脂組成物（以下、単に「液体」または「液体樹脂組成物」とも呼ぶ）ｒｃを収容している。
【００３３】
昇降テーブル２５は、造形中の三次元造形物を支持する。上述したように、昇降テーブル２５は、槽２１内を上下に移動可能である。昇降テーブル２５は、降下することにより、槽２１に貯留された液体樹脂組成物ｒｃ内に浸漬可能となっている。
【００３４】
固化手段２２は、例えば、光硬化性樹脂組成物ｒｃの硬化反応を引き起こす光、例えば紫外線帯域のレーザ光を射出する照射装置２３から構成される。照射装置２３は、レーザ光等を射出するエネルギ源と、射出されたエネルギの進路を調節する走査装置と、を有している。光路を調整する走査装置としては、ガルバノミラーやＭＥＭＳを用いることができる。
【００３５】
図２に示すように、リコータ装置３０はリコータ部３１を有している。リコータ部３１は、その下端部が槽２１に収容された液体樹脂組成物ｒｃの液面設定位置（後述する単位層ｕｌの上面となる位置）の近傍に配置されるように位置付けられ、液体樹脂組成物ｒｃは、表面張力などによってリコータ部３１の下端部に接触している。リコータ部３１を液面Ｓに沿って（より具体的には、上記液面設定位置に沿って）移動させて液体樹脂組成物ｒｃを掃引することで、当該液面Ｓをならす。
【００３６】
図１に示すように、造形中、未硬化の液体樹脂組成物ｒｃが所定量の厚みで昇降テーブル２５の上方に存在するよう、昇降テーブル２５が位置決めされる。次に、固化手段２２が、昇降テーブル２５上の液体樹脂組成物ｒｃの層に、制御器１５からの制御信号にしたがった所定パターン（２次元形状）を構成するようにレーザ光（面露光方式の場合は面状の光）を照射する。レーザ光を照射された領域において、液体樹脂組成物ｒｃは光重合反応を開始して硬化する。このようにして、液体樹脂組成物ｒｃが所定のパターンで固化してなる単位層ｕｌが形成される。その後、昇降テーブル２５は所定量、例えば０．１ミリメートルだけ降下する。昇降テーブル２５の降下量は、単位層ｕｌの厚みとなる。ここで昇降テーブル２５が降下しても、液体樹脂組成物ｒｃに働く表面張力によって、造形中の三次元構造物上（すなわち直前に形成された単位層ｕｌ上）には、液体樹脂組成物ｒｃが導入されない領域（液体樹脂組成物ｒｃによって被覆されない領域）が存在する。このような領域に液体樹脂組成物ｒｃを導入するため、次に、リコータ装置３０は、リコータ部３１を液体樹脂組成物ｒｃの液面Ｓに沿って移動させて、当該液面Ｓをならす。この状態から、固化手段２２のレーザ光照射が再度実施され、次の単位層ｕｌが形成される。順次形成される単位層ｕｌが互いに結合していくことにより、三次元造形物を一体的に形成することができる。
【００３７】
ところで、リコータ部３１によって液面Ｓをならして上記直前に形成された単位層ｕｌの表面に未硬化の液体樹脂組成物ｒｃを導入する際、液体樹脂組成物ｒｃに空気が巻き込まれ、液体樹脂組成物ｒｃ内に気泡Ｂが形成される。発明者の得た知見によれば、リコータ部３１を図２及び図３に示すように液面Ｓの側が開放された箱状に形成し、液体樹脂組成物ｒｃとの間の空間Ａを周囲よりも低い圧力に維持することで、液体樹脂組成物ｒｃ内の気泡Ｂを上方に移動させて液体樹脂組成物ｒｃから除去することができる。さらに、発明者の得た知見によれば、リコータ部３１の上記空間Ａ内に吸い上げられた液体樹脂組成物ｒｃの液面Ｓを一度下げた後、再びリコータ部３１の上記空間Ａ内に吸い上げて液面Ｓを上昇させることにより、液体樹脂組成物ｒｃ内の気泡Ｂを、さらに効果的に除去することができる。
【００３８】
以上の点を考慮して、本実施の形態のリコータ装置３０は、次のように構成されている。すなわち、リコータ装置３０は、各々が上記箱状に形成されて液体樹脂組成物ｒｃとの間に空間Ａを形成する複数のリコータ部３１ａ,３１ｂと、複数のリコータ部３１ａ,３１ｂの上記空間Ａの圧力を調節する吸引機構３５と、を備えている。
【００３９】
複数のリコータ部３１ａ,３１ｂは、移動機構４０によるリコータ部３１ａ,３１ｂの移動方向Ｄ１に互いからずらして（並んで）配置されている。図示された例では、複数のリコータ部３１ａ,３１ｂは隣接している。さらに、図示された例では、複数のリコータ部３１ａ,３１ｂは一体的に形成されている。
【００４０】
吸引機構３５は、各リコータ部３１と液体樹脂組成物ｒｃとの間の空間Ａを吸引して、当該空間Ａ内の圧力を周囲よりも（より具体的にはリコータ部３１外の液面Ｓ０上の気圧よりも）低い圧力に維持する。リコータ部３１の空間Ａ内の圧力が周囲よりも低い圧力にされることにより、リコータ部３１の上記空間Ａ内に液体樹脂組成物ｒｃが吸い上げられ、当該空間Ａ内の液面Ｓ１の高さがリコータ部３１外の液面Ｓ０の高さよりも高くなる。上記空間Ａ内における液面Ｓ１の高さは、一定に維持される。図示された例では、上記空間Ａの圧力の制御が容易なよう、複数のリコータ部３１ａ,３１ｂの空間Ａ内の圧力は、互いに同一である。このため、複数のリコータ部３１ａ,３１ｂの上記空間Ａ内の液面Ｓ１の高さも同じである。図示された例では、吸引機構３５は、複数のリコータ部３１ａ,３１ｂに設けられた貫通穴３２に接続されて当該リコータ部３１ａ,３１ｂの上記空間Ａに通じる複数の筒状部材３６と、複数の筒状部材３６と接続し当該筒状部材３６を介して複数のリコータ部３１ａ,３１ｂの上記空間Ａを吸引可能なポンプ３７と、を有する。
【００４１】
リコータ装置３０は、移動機構４０によって、液体樹脂組成物ｒｃの液面Ｓに沿って移動させられる。移動機構４０は、複数のリコータ部３１ａ,３１ｂを、上記液面Ｓに沿って、同一の経路を移動させる。図示された例では、移動機構４０は、複数のリコータ部３１ａ,３１ｂを同期して水平移動させる。これにより、複数のリコータ部３１ａ,３１ｂの水平移動を、容易に制御することができる。図示された例では、複数のリコータ部３１ａ,３１ｂは隣接しているため（さらには一体的に形成されているため）、複数のリコータ部３１ａ,３１ｂを同期して水平移動させることが容易である。
【００４２】
複数のリコータ部３１ａ,３１ｂが移動機構４０によるリコータ部３１ａ,３１ｂの移動方向Ｄ１に互いからずらして（並んで）配置されていることにより、リコータ部３１ａ,３１ｂを停止させることなく、液体樹脂組成物ｒｃの液面Ｓ上の各点で液面Ｓの上下動を複数回実施することができる。すなわち、リコータ部３１が一つしかない場合、液面Ｓ上の各点で液面Ｓを複数回上下動させるためには、液面Ｓ上の各点でリコータ部３１を一度停止させ、リコータ部３１の空間Ａの減圧と加圧を繰り返す必要がある。しかしながら、移動方向Ｄ１に並んで配置された複数のリコータ部３１ａ,３１ｂを用いれば、複数のリコータ部３１ａ,３１ｂの移動に伴って、液体樹脂組成物ｒｃは、まず上記移動方向Ｄ１の先頭に位置するリコータ部３１ａに吸い込まれた後、当該リコータ部３１ａから抜け出て、上記移動方向Ｄ１後方に位置するリコータ部３１ｂに再び吸い込まれる。そして、上記先頭のリコータ部３１ａに吸い込まれて液面Ｓが上昇した液体樹脂組成物ｒｃは、移動方向Ｄ１前方のリコータ部３１ａから抜け出て移動方向Ｄ１後方のリコータ部３１ｂに吸い込まれる度に下降し上昇する。このように、移動方向Ｄ１に並んで配置された複数のリコータ部３１ａ,３１ｂを用いることで、リコータ部３１ａ,３１ｂの動きを止めることなく液面Ｓ上の各点において液面Ｓを複数回上下動させることができる。これにより、液体樹脂組成物ｒｃ内の気泡Ｂを効率的且つ効果的に除去することができる。
【００４３】
さらに、各々が液体樹脂組成物ｒｃの液面Ｓを上昇させる上記複数のリコータ部３１ａ,３１ｂで液面Ｓをならすことにより、気泡Ｂを効率的に除去しつつ、中海問題と呼ばれる問題を効果的に解決することができる。ここで、中海問題とは、次のような問題である。まず、上述したように、三次元造形物は、単位層を積層して作製される。そして、単位層の積層体の上に次の単位層を形成するために、昇降テーブルを浸漬させてリコータ装置で液体の液面をならす。このとき、単位層の積層体が上方に開放された凹部を形成する場合、リコータ装置で上記液面をならしても、当該凹部内（中海）の液体が積層体外（外海）に出ていかず、凹部内の液面が積層体外の液面よりも高くなり、三次元造形物の製造に支障をきたす。これを中海問題と呼ぶ。中海問題は、次の単位層を形成するために上記積層体上に導入される液体の厚みが非常に薄いために、上記凹部内の液体が上記積層体外に伸び出していかないことにより生じる。発明者が得た知見によれば、このような中海問題は、液体ｒｃの液面Ｓを上昇させるリコータ部３１で当該液面Ｓをならすことにより、解決することができる。すなわち、上記凹部内の液体ｒｃを上記積層体外へならす際、積層体を乗り越える液体ｒｃの液面Ｓをリコータ部３１によって上昇させることで、積層体上の液体ｒｃの厚みを一時的に大きくすることで、凹部内の液体ｒｃが上記積層体外へ伸び出すことを促進することができる。さらに、発明者の得た知見によれば、上記移動方向Ｄ１に互いからずらして（並んで）配置された複数のリコータ部３１ａ,３１ｂで液体ｒｃの液面Ｓをならすことにより、中海問題を更に効果的に解決することができる。
【００４４】
なお、図示された例ではリコータ装置３０は２つのリコータ部３１ａ,３１ｂを含むが、これに限られない。リコータ装置３０は、図７に示すように、３以上のリコータ部３１ａ,３１ｂ,３１ｃを含んでもよい。
【００４５】
次に、三次元造形装置１０を用いた三次元造形方法について、言い換えると、三次元造形装置１０を用いて三次元造形物を製造する方法について、説明する。以下に説明する三次元造形方法は、制御器１５が記録媒体１６に予め記録されたプログラムを読み込むことにより、実施される。
【００４６】
図４に示すように、三次元造形方法は、第１の工程Ｓ１〜第４の工程Ｓ４を含んでいる。まず、第１の工程Ｓ１では、造形対象となるモデルを決定する。
【００４７】
次に、第２の工程Ｓ２として、三次元造形モデルのＣＡＤデータを、三次元造形装置１０での造形に用いられる造形データへ変換する。このデータ処理は、例えば、制御器１５が記録媒体１６に格納された三次元造形モデルのＣＡＤデータを取り込んで処理することにより、実施される。具体的には、制御器１５は、三次元造形モデルの断面形状を示す断面パターンを生成する。断面パターンは、積層造形される際の積層方向に対して直交する断面での形状と一致する。断面パターンの生成は、積層造形される際の積層方向へのピッチと同ピッチとなる三次元造形モデルの各位置で実施される。
【００４８】
その後、第３の工程Ｓ３として、例えばキーボード１７及びディスプレイ１８を利用しながら、材料の種類や造形条件等を制御器１５に入力する。制御器１５に入力されたこれらの情報は、三次元造型機２０に設けられた図示しないプロセッサに渡され、当該プロセッサで処理される。処理された情報は、固化装置２２に入力される。
【００４９】
そして第４の工程Ｓ４として、断面パターンで材料の層に固化処理を施すことで、三次元造形物を製造する。具体的には、槽２１内の液体樹脂組成物ｒｃ内に沈められた昇降テーブル２５上の、液体樹脂組成物ｒｃの表層に対し上記断面パターンの範囲に光を照射してエネルギを付与することで、硬化した樹脂からなる単位層ｕｌを形成する。そして、昇降テーブル２５を所定量だけ下降させ、リコータ装置３０の複数のリコータ部３１ａ,３１ｂを液面Ｓに沿って、同一の経路を移動させる。これにより、硬化した上記単位層ｕｌの表面に未硬化の液体樹脂組成物ｒｃが導入される。また、液面Ｓの各点において当該液面Ｓが複数回上下動させられて液体樹脂組成物ｒｃ内の気泡Ｂが除去される。その後、液体樹脂組成物ｒｃの表層に対し上記断面パターンの範囲に光を照射してエネルギを付与することで、先に硬化した単位層ｕｌ上に新たな単位層ｕｌを積層する。このようにして単位層ｕｌを順次積層していき、三次元造形物を製造する。
【００５０】
以上のように、本実施の形態によれば、三次元造形装置１０は、エネルギを付与されることで硬化する液体ｒｃを収容する槽２１と、移動方向Ｄ１に配置され、各々が液体ｒｃとの間に周囲よりも低い圧力に維持された空間Ａを形成しながら移動する複数のリコータ部３１ａ,３１ｂ,・・・と、を備える。
【００５１】
このような三次元造形装置１０によれば、液体ｒｃ内の気泡Ｂを、効率的且つ効果的に除去することができる。
【００５２】
また、本実施の形態によれば、複数のリコータ部３１ａ,３１ｂ,・・・は、隣接している。これにより、液体ｒｃの液面Ｓに沿った複数のリコータ部３１ａ,３１ｂ,・・・の移動を、容易に制御することができる。
【００５３】
また、本実施の形態によれば、複数のリコータ部３１ａ,３１ｂ,・・・は、一体的に成形されている。これにより、複数のリコータ部３１ａ,３１ｂ,・・・の上記液面Ｓに沿った移動を、さらに容易に制御することができる。
【００５４】
また、本実施の形態によれば、複数のリコータ部３１ａ,３１ｂ,・・・は、同期して移動する。これにより、複数のリコータ部３１ａ,３１ｂ,・・・の上記液面Ｓに沿った移動の制御が容易である。
【００５５】
また、本実施の形態によれば、複数のリコータ部３１ａ,３１ｂ,・・・の上記空間Ａ内の圧力は、互いに同一である。これにより、複数のリコータ部３１ａ,３１ｂ,・・・の上記空間Ａ内の圧力を、容易に制御することができる。
【００５６】
また、本実施の形態によれば、複数のリコータ部３１ａ,３１ｂ,・・・の上記空間Ａ内の圧力を調節する吸引機構３５を備える。具体的には、吸引機構３５は、複数のリコータ部３１ａ,３１ｂ,・・・の上記空間Ａに通じる複数の筒状部材３６と、複数の筒状部材３６と接続し筒状部材３６を介して複数のリコータ部３１ａ,３１ｂ,・・・の上記空間Ａを吸引可能なポンプ３７と、を有する。
【００５７】
また、本実施の形態によれば、リコータ装置３０は、移動方向Ｄ１に配置され、各々が槽２１内に収容されたエネルギを付与されることで硬化する液体ｒｃとの間に周囲よりも低い圧力に維持された空間Ａを形成しながら移動する複数のリコータ部３１ａ,３１ｂ,・・・と、複数のリコータ部３１ａ,３１ｂ,・・・の上記空間Ａの圧力を調節する吸引機構３５と、を備える。
【００５８】
このようなリコータ装置３０によれば、液体ｒｃ内の気泡Ｂを、効率的且つ効果的に除去することができる。
【００５９】
また、本実施の形態によれば、槽２１内の液体ｒｃの液面Ｓをならす方法は、移動方向Ｄ１に配置され、各々が槽２１内に収容されたエネルギを付与されることで硬化する液体ｒｃとの間に周囲よりも低い圧力に維持された空間Ａを形成した複数のリコータ部３１ａ,３１ｂ,・・・を、液体ｒｃに液面Ｓに沿って、同一の経路を移動させる工程を備える。
【００６０】
このような液体ｒｃの液面Ｓをならす方法によれば、液体ｒｃ内の気泡Ｂを、効率的且つ効果的に除去することができる。
【００６１】
また、本実施の形態によれば、三次元造形方法は、上述した槽２１内の液体ｒｃの液面Ｓをならす方法を備える。
【００６２】
このような三次元造形方法によれば、液体ｒｃ内の気泡Ｂを、効率的且つ効果的に除去することができる。
【００６３】
＜変形例＞
以上に説明した実施形態では、複数のリコータ部３１ａ,３１ｂ,・・・の上記空間Ａ内の圧力は互いに同一であるが、図５乃至図７に示すように、互いに異なっていてもよい。この場合、リコータ部３１毎に異なる大きさの気泡Ｂを除去することができる。
【００６４】
複数のリコータ部３１ａ,３１ｂ,・・・の上記空間Ａの圧力が互いに異なる場合、発明者が得た知見によれば、図５乃至図７に示すように、移動方向Ｄ１前方に位置するリコータ部３１の上記空間Ａ内の圧力は、移動方向Ｄ１後方に位置するリコータ部３１の上記空間Ａ内の圧力より高いことが好ましい。このように上記空間Ａの圧力を設定することで、液体ｒｃ内の気泡Ｂの除去効率が向上する。
【００６５】
複数のリコータ部３１ａ,３１ｂ,・・・の空間Ａ内の圧力が互いに異なる場合、図５に示すように、吸引機構３５の複数の筒状部材３６の各々に、圧力調整弁３８が設けられていてもよい。あるいは、吸引機構３５は、図６および図７に示すように、複数のリコータ部３１ａ,３１ｂ,・・・の空間Ａに通じる複数の筒状部材３６と、複数の筒状部材３６の各々に接続した複数のポンプ３７と、を有していてもよい。
【００６６】
また、以上に説明した実施形態では、複数のリコータ部３１ａ,３１ｂ,・・・は隣接しているが、これに限られない。図８に示すように、複数のリコータ部３１ａ,３１ｂ,・・・は、上記移動方向Ｄ１に互いから離間していてもよい。この場合、個々のリコータ部３１ａ,３１ｂ,・・・の液面Ｓに沿った移動の制御を自由度高く行うことができ、気泡Ｂの除去効率を向上させることができる。
【００６７】
また、以上に説明した実施形態では、複数のリコータ部３１ａ,３１ｂ,・・・は同期して移動するが、順に移動を開始してもよい。この場合、個々のリコータ部３１の液面Ｓに沿った移動の制御を自由度高く行うことができ、気泡Ｂの除去効率を向上させることができる。
【００６８】
また、以上に説明した実施形態では、吸引機構３５を用いることによって、複数のリコータ部３１ａ,３１ｂ,・・・の空間Ａ内の圧力を周囲よりも低い圧力に維持しているが、これに限られない。例えば、図９及び図１０に示す例では、リコータ装置１３０は、吸引機構３５を有していない。リコータ装置１３０は、複数のリコータ部３１ａ,３１ｂ,・・・を上記移動方向Ｄ１と非平行な方向（直交する方向。上下方向）Ｄ２に移動させる第２移動機構４５を備えている。また、複数のリコータ部３１ａ,３１ｂ,・・・の各々は、上記空間Ａを周囲に通じさせる閉鎖可能な通気穴３３を有している。図示された例では、通気穴３３には、上記空間Ａ内の圧力が周囲の圧力よりも高くなると移動して通気穴３３を開放する弁体３４が設けられている。このようなリコータ装置１３０によれば、次のようにして複数のリコータ部３１ａ,３１ｂ,・・・の空間Ａ内の圧力を周囲よりも低い圧力に維持することができ、また、上記空間Ａ内の液面Ｓ１を上記空間Ａ外の液面Ｓ０よりも上昇させることができる。すなわち、まず、第２移動機構４５によって複数のリコータ部３１ａ,３１ｂ,・・・を下方に移動させてその下半部を液体ｒｃに沈める。このとき、複数のリコータ部３１ａ,３１ｂ,・・・の下方への移動にともなって、上記空間Ａ内の圧力が周囲の圧力よりも高くなる。これにより、弁体３４が移動し、通気穴３３が開放される。また、液体ｒｃが空間Ａ内に入り込む。その後、弁体３４を移動させて通気穴３３を閉鎖する。そして、第２移動機構４５によって複数のリコータ部３１ａ,３１ｂ,・・・を上方に移動させる。このとき、複数のリコータ部３１ａ,３１ｂ,・・・の上方への移動にともなって、上記空間Ａ内の圧力が周囲の圧力よりも低くなり、上記空間Ａ内の液面Ｓ１が上記空間Ａ外の液面Ｓ０よりも高くなる。
【００６９】
また、図２、図５乃至図７、図９並びに図１０に示す例において、複数のリコータ部３１ａ,３１ｂ,３１ｃ・・・下端部の高さは均一であるが、これに限られない。例えば、複数のリコータ部３１ａ,３１ｂ,３１ｃ・・・の空間Ａを区画する壁部ｗ１,ｗ２,ｗ３のうち、互いに隣り合う空間Ａを隔てる壁部ｗ２の下端部は、他の壁部ｗ１,ｗ３の下端部（複数のリコータ部３１ａ,３１ｂ,３１ｃの移動方向Ｄ１の最も前方に位置する壁部ｗ１の下端部と最も後方に位置する壁部ｗ３の下端部）よりも、高い位置にあってもよい。
【００７０】
さらに、図１１を参照して、液体ｒｃ内の気泡Ｂを除去し中海問題を解決する他の方法について、説明する。
【００７１】
図１１に示す例では、上述した実施形態と比較して、次の点で異なる。すなわち、図１１に示す例では、リコータ装置２３０は、単一のリコータ部２３１を備えている。また、リコータ装置２３０の吸引機構２３５は、槽２１内の液体ｒｃを、リコータ部２３１を介して吸引して槽２１内に戻す。その他の構成は、上述した実施形態と略同一である。図１１に示す例において、上述した実施形態と同一部分には同一符号を付して詳細な説明は省略する。
【００７２】
リコータ部２３１は、液面Ｓの側が開放された箱状に形成されている。
【００７３】
吸引機構２３５は、筒状部材２３６と、筒状部材２３６に接続したポンプ２３７と、を有する。筒状部材２３６は、その一端２３６ａがリコータ部２３１の天面に設けられた貫通穴に接続され、当該リコータ部２３１の内部空間に通じている。一方、筒状部材２３６の他端２３６ｂは、槽２１内に延びている。ポンプ２３７は、槽２１内の液体ｒｃを、リコータ部２３１を通じて筒状部材２３６内に吸引可能である。筒状部材２３６内に吸引された液体ｒｃは、筒状部材２３６の他端２３６ｂから槽２１内に排出される。
【００７４】
このようなリコータ装置２３０で槽２１内の液体ｒｃを吸引しながらリコータ部２３１を液面Ｓに沿って移動させて、液体ｒｃを造形中の三次元構造物上に導入しつつ上記液面Ｓをならすことによっても、液体ｒｃ内の気泡Ｂを除去し、上述した中海問題を解決することが可能である。
【００７５】
なお、以上において上述した実施の形態に対するいくつかの変形例を説明してきたが、当然に、複数の変形例を適宜組み合わせて適用することも可能である。
【符号の説明】
【００７６】
１０    三次元造形装置
２０    三次元造形機
２１    槽
２２    固化手段
２３    照射装置
２５    昇降テーブル
３０    リコータ装置
３１    リコータ部
３３    通気穴
３５    吸引機構
３６    筒状部材
３７    ポンプ
４０    移動機構
４５    第２移動機構
１３０  リコータ装置
【図１】
2020203397.tif 000003
【図２】
2020203397.tif 000004
【図３】
2020203397.tif 000005
【図４】
2020203397.tif 000006
【図５】
2020203397.tif 000007
【図６】
2020203397.tif 000008
【図７】
2020203397.tif 000009
【図８】
2020203397.tif 000010
【図９】
2020203397.tif 000011
【図１０】
2020203397.tif 000012
【図１１】
2020203397.tif 000013